(57)【特許請求の範囲】
【請求項１】
軸受装置であって、
ブッシングを備え、前記ブッシングは、
内径ＩＤＨＢを有し、互いに反対側にある近位端部および遠位端部を含む中空本体、
前記本体の前記近位端部から径方向外方に延在する第１のブッシング・フランジ、および、
前記中空本体の前記遠位端部から延在し、径方向外方に延在する先端を有する軸方向延在部を備え、前記軸方向延在部は前記中空本体の前記遠位端部から径方向外方に延在する第２のブッシング・フランジを形成するよう、かつ前記遠位端部で径方向外方に曲げられるよう変形可能であり、前記軸方向延在部はＩＤＨＢ未満の内径ＩＤＡＥを有し、（ｉ）前記軸方向延在部は、長手軸に対して内方に撓んだ凹側壁を有するか、または、（ｉｉ）前記軸方向延在部は、前記長手軸に対して径方向内方に延在して肩部を形成する第１の部分、および、前記第１の部分から離れるよう長手軸方向に延在してヒンジアームを形成する第２の部分を有する、軸受装置。
【請求項２】
締結装置であって、
ブッシングと、
前記ブッシングと係合されるリベットとを有し、
前記ブッシングは、
内径ＩＤＨＢを有し、互いに反対側にある近位端部および遠位端部を含む中空本体、
前記本体の前記近位端部から径方向外方に延在する第１のブッシング・フランジ、および、
前記中空本体の前記遠位端部から延在し、径方向外方に延在する先端を有する軸方向延在部を備え、前記軸方向延在部は前記中空本体の前記遠位端部から径方向外方に延在する第２のブッシング・フランジを形成するよう、かつ前記遠位端部で径方向外方に曲げられるよう変形可能であり、前記軸方向延在部はＩＤＨＢ未満の内径ＩＤＡＥを有し、（ｉ）前記軸方向延在部は、長手軸に対して内方に撓んだ凹側壁を有するか、または、（ｉｉ）前記軸方向延在部は、前記長手軸に対して径方向内方に延在して肩部を形成する第１の部分、および、前記第１の部分から離れるよう長手軸方向に延在してヒンジアームを形成する第２の部分を有し、
前記リベットは、
近位端部および前記近位端部の反対側にある遠位端部を定める本体、
前記本体の前記近位端部から径方向外方に延在するリベット・フランジ、および
前記本体の前記遠位端部から延在する変形可能なポストを含み、
前記本体は、前記リベット・フランジが前記ブッシングの前記第１のブッシング・フランジと係合し、前記中空本体内に嵌合するよう構成される、変形可能なポストを含む、締結装置。
【請求項３】
第１の構成要素と第２の構成要素とを組み立てる方法であって、
前記第１の構成要素の第１の穴にブッシングを設置する設置ステップであって、前記ブッシングが、長手軸を定め、互いに反対側にある近位端部および遠位端部を含む中空本体、前記中空本体の前記近位端部から径方向外方に延在する第１のブッシングランジ、および、前記中空本体の前記遠位端部から延在し、径方向外方に延在する先端を有する軸方向延在部を有し、（ｉ）前記軸方向延在部は、前記長手軸に対して内方に撓んだ凹側壁を有するか、または、（ｉｉ）前記軸方向延在部は、前記長手軸に対して径方向内方に延在して肩部を形成する第１の部分、および、前記第１の部分から離れるよう長手軸方向に延在してヒンジアームを形成する第２の部分を有する、設置ステップと、
前記長手軸に沿った直線方向において前記ブッシングにリベットを摺動させる摺動ステップと、
前記長手軸に沿った直線方向において前記第２の構成要素の第２の穴を前記リベットに摺動させるステップであって、前記リベットの移動、前記第２の構成要素の移動、または、前記リベットおよび前記第２の構成要素の移動の組み合わせにより、前記軸方向延在部が前記遠位端部で径方向外方に曲げられることで前記ブッシングの前記本体の前記遠位端部から径方向外方に延在する第２のブッシング・フランジに変形される、摺動ステップと、
前記リベットの一部分を変形させる変形ステップと、を備える方法。
【請求項４】
前記軸方向延在部の外径ＯＤＡＥは、前記中空本体の外径ＯＤＨＢ未満である、請求項１または２に記載の装置。
【請求項５】
前記肩部は、前記中空本体にリベットが挿入されると外側に押し出されるよう構成され、前記肩部が外側に押し出されると、前記ヒンジアームは、前記長手軸に対して前記ヒンジアームが平行な第１の位置から前記長手軸に対してヒンジアームが外方に角度をなす第２の位置まで回転される、請求項１記載の装置。
【請求項６】
前記第１のブッシング・フランジは厚さＴＦＦを有し、前記軸方向延在部は厚さＴＡＥを有し、ＴＦＦ≧９０％ＴＡＥであり、且つ、ＴＦＦ≦１１０％ＴＡＥである、請求項１または２に記載の装置。
【請求項７】
前記中空本体は厚さＴＨＢを有し、前記軸方向延在部は厚さＴＡＥを有し、ＴＨＢ≧９０％ＴＡＥであり、且つ、ＴＨＢ≦１１０％ＴＡＥである、請求項１または２に記載の装置。
【請求項８】
前記中空本体は厚さＴＨＢを有し、前記第２のブッシング・フランジは厚さＴＳＦを有し、ＴＨＢ≧９０％ＴＳＦであり、且つ、ＴＨＢ≦１１０％ＴＳＦである、請求項１または２に記載の装置。
【請求項９】
前記ブッシングは、内面、および、前記内面上の低摩擦ポリマー層を更に有する、請求項１または２に記載の装置。
【発明の詳細な説明】
【技術分野】
【０００１】
本開示は、軸受および軸受組立体に関わり、特に、変形可能なブッシングを有する軸受
組立体に関わる。
【背景技術】
【０００２】
軸受や軸受組立体は様々な用途で使用されている。ある用途では、軸受組立体は、シー
トをリクライニングするために自動車においてピボットとして使用され得る。具体的には
、ピボットは、ピボット板またはブラケットの整列された開口部内に配置され、摩耗やキ
ーキー音やガタガタ音等の望ましくないノイズを生じ得る金属対金属の係合を抑止する。
【０００３】
典型的には、リクライニング・シートは、シート底部とシートバックを含む。シートバ
ックは、様々な直立およびリクライニング位置の間で旋回される。シートバックを直立ま
たは一つ以上のリクライニング位置で選択的に維持するために、解放可能なラッチ式機構
が設けられる。シート底部とシートバックの上には板またはブラケット等のピボット部材
が搭載され、各ピボット部材内には少なくとも一つの開口部が形成されている。ピボット
部材間は、ピボット装置を介して接続され得る。
【０００４】
したがって、産業において、軸受組立体、特に、ピボットとして使用され得る軸受組立
体を改良する必要性が未だある。
【図面の簡単な説明】
【０００５】
本開示は、添付の図面を参照することで、より理解することができ、当業者には多数の
特徴や利点が明らかとなるであろう。
【図１】図１は、一実施形態による軸受組立体の断面図である。
【図２】図２は、一実施形態による多リンク組立体の第１の断面図である。
【図３】図３は、一実施形態による多リンク組立体の第２の断面図である。
【図４】図４は、一実施形態による多リンク組立体の第３の断面図である。
【図５】図５は、別の実施形態による軸受組立体の断面図である。
【図６】図６は、図５中の丸部分６についての、別の実施形態による軸受組立体の詳細図である。
【図７】図７は、別の実施形態による多リンク組立体の第１の断面図である。
【図８】図８は、別の実施形態による多リンク組立体の第２の断面図である。
【図９】図９は、別の実施形態による多リンク組立体の第３の断面図である。
【図１０】図１０は、更に別の実施形態による軸受組立体の断面図である。
【図１１】図１１は、更に別の実施形態による多リンク組立体の第１の断面図である。
【図１２】図１２は、更に別の実施形態による多リンク組立体の第２の断面図である。
【図１３】図１３は、更に別の実施形態による多リンク組立体の第３の断面図である。
【図１４】図１４は、更に別の実施形態による多リンク組立体の第４の断面図である。
【図１５】図１５は、更に別の実施形態による軸受組立体の断面図である。
【図１６】図１６は、更に別の実施形態による多リンク組立体の第１の断面図である。
【図１７】図１７は、更に別の実施形態による多リンク組立体の第２の断面図である。
【図１８】図１８は、更に別の実施形態による多リンク組立体の第３の断面図である。
【０００６】
異なる図面において、同様または同一の要素には同じ参照番号が付与されている。
【発明を実施するための形態】
【０００７】
以下の説明は、軸受組立体、特に、二つ以上のリンクを接続して多リンク組立体を形成
するために使用され得る軸受組立体に関わる。一態様では、ブッシングとリベットとを含
む軸受組立体は、第１のリンクに形成された穴に挿入される。第２のリンクは、リベット
の変形可能なポストに嵌められ、第２のリンクが第１のリンクに向かって移動されると、
第２のリンクはブッシングの軸方向延在部を変形させて第１のリンクと第２のリンクとの
間にフランジを形成する。その後、変形可能なポストは、リンクを合わせて保持するリベ
ット・フランジを形成するよう平坦化される。
【０００８】
別の態様では、ブッシングの軸方向延在部は肩部を形成し得る狭くなった第１の部分、
および、第１の部分から延在してヒンジアームを形成する第２の部分を含む。設置の間、
リベットはブッシング内の距離を移動することができ、リベットの本体の遠位端部が肩部
に押圧されることで、ヒンジアームは、中心軸に対してヒンジアームが略平行な第１の位
置から中心軸に対してヒンジアームが角度をなす第２の位置まで移動、変形、さもなけれ
ば、曲げ始められる。第２のリンクをさらに設置させることで、軸方向延在部の変形が完
了し、第１のリンクと第２のリンクとの間にフランジが形成される。
【０００９】
更なる別の態様では、ブッシングの軸方向延在部は、中心の長手軸に対して第１の角度
でブッシングの本体から径方向内方に延在して斜面を形成する第１の部分、および、中心
の長手軸に対して第２の角度で第１の部分から径方向外方に延在してフランジ板を形成す
る第２の部分を含む。設置の間、ブッシングに設置されたリベットの遠位端部は、斜面に
沿って移動し、斜面を外側に押し出すことができる。リベットによって斜面が外側に押し
出されると、フランジ板は、ブッシングの第１のブッシング・フランジに対してフランジ
板が角度をなす、つまり、平行でない第１の位置から第１のブッシング・フランジに対し
てフランジ板が略平行な第２の位置まで移動され得る。
【００１０】
更なる別の態様では、軸方向延在部は、上述のとおり斜面およびフランジ板を有しても
よい。しかしながら、本態様では、ブッシングの反対側にある両端部からブッシング内に
二部品よりなるリベットを設置することができる。第１のリベット部分はブッシングに挿
入され、第１のリベット部分の遠位端部は斜面と係合して斜面を外側に押し出すことがで
きる。斜面が移動することで、フランジ部分は第２の位置に向かって移動し始める。第２
のリベット部分は第２の構成要素またはリンクに挿入され、このサブ組立体は、第２のリ
ベット部分の端部がブッシング中に嵌められ第１のリベット部分に嵌合されるよう、ブッ
シングと係合される。
【００１１】
第２のリベット部分／第２のリンクのサブ組立体がブッシング／第１のリベット部分の
サブ組立体内に更に移動されると、第２のリベット部分と第２のリンクは軸方向延在部の
フランジ板と更に係合してフランジ板を更に第２の位置まで移動させる。
【００１２】
最初に図１を参照するに、軸受組立体が示され、参照番号１００が一般的に付与されて
いる。軸受組立体１００はブッシング１０２と、ブッシング１０２内に設置されたリベッ
ト１０４とを有する。
【００１３】
図示するように、ブッシング１０２は近位端部１１２および遠位端部１１４を定める中
空本体１１０を含む。第１のブッシング・フランジ１１６は、中空本体１１０の近位端部
１１２から径方向外方に延在する。軸方向延在部１１８は、中空本体１１０の遠位端部１
１４から延在する。軸方向延在部１１８は、軸受組立体１００の中心の長手軸１２０に対
して略平行な方向に延在する。
【００１４】
以下により詳細に説明するように、軸方向延在部１１８は、中空本体１１０の遠位端部
１１４から径方向外方に延在する第２のブッシング・フランジを形成するよう変形可能で
ある。特に、軸方向延在部１１８は、長手軸１２０に対して内方に撓んだ凹側壁１２２を
有し得る。更に、凹状側壁１２２の形状により、軸方向延在部１１８はブッシング１０２
の中空本体１１０の内径ＩＤＨＢ未満の内径ＩＤＡＥを有する。
【００１５】
図１は、更に、リベット１０４が、近位端部１３２および遠位端部１３４を定める実本
体１３０を含み得ることを示している。第１のリベット・フランジ１３６は、リベット１
０４の実本体１３０の近位端部１３２から径方向外方に延在する。更に、変形可能なポス
ト１３８は、実本体１３０の遠位端部１３４から中心軸１２０に対して略平行な方向に延
在し得る。変形可能なポスト１３８は、平坦化されるか、さもなければ、変形されて、リ
ベット１０４の実本体１３０の遠位端部１３４から径方向外方に延在する第２のリベット
・フランジを形成する。
【００１６】
ある特定の態様では、リベット１０４の実本体１３０は高さＨＳＢを有し、ブッシング
１０２の中空本体１１０は高さＨＨＢを有する。本態様では、ＨＳＢは≦ＨＨＢ、例えば
、ＨＳＢ９９％ＨＨＢ、ＨＳＢ≦９８％ＨＨＢ、ＨＳＢ≦９７％ＨＨＢ、ＨＳＢ≦９６％
ＨＨＢ、または、ＨＳＢ≦９５％ＨＨＢでもよい。更に、ＨＳＢは≧９０％ＨＨＢ、≧９
１％ＨＨＢ、≧９２％ＨＨＢ、≧９３％ＨＨＢ、または、≧９４％ＨＨＢでもよい。ＨＳ
Ｂは、本願に記載する全ての％ＨＨＢ値を含む、その範囲内の値を取り得る。
【００１７】
例えば、ＨＳＢは、≦９９％ＨＨＢ且つ≧９０％ＨＨＢ、例えば、ＨＳＢ≦９９％ＨＨ
Ｂ且つ≧９１％ＨＨＢ、ＨＳＢ≦９９％ＨＨＢ且つ≧９２％ＨＨＢ、ＨＳＢ≦９９％ＨＨ
Ｂ且つ≧９３％ＨＨＢ且つＨＳＢ≦９９％ＨＨＢ且つ≧９４％ＨＨＢでもよい。ＨＳＢは
、≦９８％ＨＨＢ且つ≧９０％ＨＨＢ、例えば、ＨＳＢ≦９８％ＨＨＢ且つ≧９１％ＨＨ
Ｂ、ＨＳＢ≦９８％ＨＨＢ且つ≧９２％ＨＨＢ、ＨＳＢ≦９８％ＨＨＢ且つ≧９３％ＨＨ
Ｂ且つＨＳＢ≦９８％ＨＨＢ且つ≧９４％ＨＨＢでもよい。ＨＳＢは、≦９７％ＨＨＢ且
つ≧９０％ＨＨＢ、例えば、ＨＳＢ≦９７％ＨＨＢ且つ≧９１％ＨＨＢ、ＨＳＢ≦９７％
ＨＨＢ且つ≧９２％ＨＨＢ、ＨＳＢ≦９７％ＨＨＢ且つ≧９３％ＨＨＢ、ＨＳＢ≦９７％
ＨＨＢ且つ≧９４％ＨＨＢでもよい。ＨＳＢは、≦９６％ＨＨＢ且つ≧９０％ＨＨＢ、例
えば、ＨＳＢ≦９６％ＨＨＢ且つ≧９１％ＨＨＢ、ＨＳＢ≦９６％ＨＨＢ且つ≧９２％Ｈ
ＨＢ、ＨＳＢ≦９６％ＨＨＢ且つ≧９３％ＨＨＢ、ＨＳＢ≦９６％ＨＨＢ且つ≧９４％Ｈ
ＨＢでもよい。ＨＳＢは、≦９５％ＨＨＢ且つ≧９０％ＨＨＢ、例えば、ＨＳＢ≦９５％
ＨＨＢ且つ≧９１％ＨＨＢ、ＨＳＢ≦９５％ＨＨＢ且つ≧９２％ＨＨＢ、ＨＳＢ≦９５％
ＨＨＢ且つ≧９３％ＨＨＢ、ＨＳＢ≦９５％ＨＨＢ且つ≧９４％ＨＨＢでもよい。
【００１８】
図２乃至図４は、第１の構成要素である第１のリンク２０２を第２の構成要素である第
２のリンク２０４に接続するために軸受組立体１００が使用される多リンク組立体２００
を示す。図示するように、第１のリンク２０２は、第１の面２１０、第１の面２１０の反
対側にある第２の面２１２、および、第１の面２１０から第２の面２１２まで第１のリン
ク２０２中を貫通する穴２１４を含む。第２のリンク２０４も第１の面２２０、第１の面
２２０の反対側にある第２の面２２２、および、第１の面２２０から第２の面２２２まで
第２のリンク２０４中を貫通する穴２２４を含む。
【００１９】
図２乃至図４に示すように、軸受組立体１００は、ブッシング１０２の第１のブッシン
グ・フランジ１１６が第１のリンク２０２の第１の面２１０と係合し、ブッシング１０２
の外壁が穴２１４の内壁と係合または接触するように、第１のリンク２０２中の穴２１４
内に設置される。ブッシング１０２の軸方向延在部１１８は第１のリンク２０２の第２の
面２１２を越えて穴２１４から延在してもよい。更に、変形可能なポスト１３８も第１の
リンク２０２の第２の面２１２を越えて穴２１４から延在してもよい。
【００２０】
第２のリンク２０４は、第２のリンク２０４中の穴２２４が変形可能なポスト１３８の
周りに嵌り、第２のリンク２０４の第１の面２２０が軸方向延在部１１８の端部と係合接
触するように、リベット１０４の変形可能なポスト１３８上に設置される。第２のリンク
２０４が第１のリンク２０２に向かって移動されると、軸方向延在部１１８の形状により
軸方向延長１１８は更に外方へ曲げられ、図４に示すようなブッシング１０２の中空本体
１１０から径方向外方に延在する第２のブッシング・フランジ４００を形成するよう、軸
方向延在部１１８は第１のリンク２０２と第２のリンク２０４との間で外方に曲げられて
平坦化される。
【００２１】
その後、変形可能なポスト１３８の少なくとも一部分は、第２のリンク２０４の第２の
面２２２に対して平坦化されて第２のリベット・フランジ（図示せず）を形成し、両リン
ク２０２、２０４およびブッシング１０２がリベット・フランジ１０４間で捕えられる。
【００２２】
図５は、別の軸受組立体５００を示す。軸受組立体５００は、ブッシング５０２と、ブ
ッシング５０２内に設置されたリベット５０４とを有する。
【００２３】
図示するように、ブッシング５０２は、近位端部５１２および遠位端部５１４を定める
中空本体５１０を含む。第１のブッシング・フランジ５１６は、中空本体５１０の近位端
部５１２から径方向外方に延在する。軸方向延在部５１８は、中空本体５１０の遠位端部
５１４から延在する。軸方向延在部５１８は、軸受組立体５００の中心の長手軸５２０に
対して略平行な方向に延在する。
【００２４】
以下により詳細に説明するように、軸方向延在部５１８は、中空本体５１０の遠位端部
５１４から径方向外方に延在する第２のブッシング・フランジを形成するよう変形可能で
ある。特に、軸方向延在部５１８は、長手軸５２０に対して径方向内方に延在して肩部を
形成する第１の部分５２２、および、第１の部分５２２から長手軸方向に離れるよう延在
して、例えば、長手軸５２０に対して略平行な方向に沿って延在してヒンジアームを形成
する第２の部分５２４を含む。更に、第１の部分５２２の形状により、軸方向５１８はブ
ッシング５０２の中空本体５１０の内径ＩＤＨＢ未満の内径ＩＤＡＥを有する。
【００２５】
図５は、更に、リベット５０４が、近位端部５３２および遠位端部５３４を定める実本
体５３０を含むことを示している。第１のリベット・フランジ５３６は、リベット５０４
の実本体５３０の近位端部５３２から径方向外方に延在する。更に、変形可能なポスト５
３８は、実本体５３０の遠位端部５３４から中心軸５２０に対して略平行な方向に延在す
る。変形可能なポスト５３８は、リベット５０４の実本体５３０の遠位端部５３４から径
方向外方に延在する第２のリベット・フランジを形成するよう平坦化されるか、さもなけ
れば、変形される。
【００２６】
図５に示すように、リベット５０４の実本体５３０は、第１のリベット・フランジ５３
６がブッシング５０２の第１のブッシング・フランジ５１６から距離Ｄだけ離間されるよ
うにしてブッシング５０２の中空本体５１０内に嵌合される。リベット５０４は、設置の
際に直線方向にＤに沿って軸方向に移動し、軸方向延在部５１８を少なくとも部分的に変
形させてブッシング５０２の第２のブッシング・フランジを形成する。
【００２７】
具体的には、第１の部分５２２によって形成される肩部は、ブッシング５０２の中空本
体５１０にリベット５０４が挿入されるまたは移動されることで外側に押し出されるよう
構成される。リベット５０４がＤだけ移動されると、肩部はリベット５０４の本体５３０
の遠位端部５３４によって外側に押し出される。リベット５０４によって肩部が外側に押
し出されると、第２の部分５２４によって形成されるヒンジアームは、長手軸５２０に対
してヒンジアームが略平行な第１の位置から長手軸５２０に対してヒンジアームが外方に
角度をなす第２の位置まで回転され得る。
【００２８】
ある特定の態様では、リベット５０４の実本体５３０は高さＨＳＢを有し、Ｄは、≧１
０％ＨＳＢ、例えば、≧１５％ＨＳＢ、≧２０％ＨＳＢ、≧２５％ＨＳＢ、または、≧３
０％ＨＳＢでもよい。更に、Ｄは≦５０％ＨＳＢ、例えば、≦４５％ＨＳＢ、≦４０％Ｈ
ＳＢ、または、≦３５％ＨＳＢでもよい。別の態様では、Ｄは上述の全ての％ＨＳＢ値を
含む、その範囲内の値を取り得る。
【００２９】
例えば、Ｄは≧１０％ＨＳＢ且つ≦５０％ＨＳＢ、例えば、≧１０％ＨＳＢ且つ≦４５
％ＨＳＢ、≧１０％ＨＳＢ且つ≦４０％ＨＳＢ、または、≧１０％ＨＳＢ且つ≦３５％Ｈ
ＳＢでもよい。別の態様では、Ｄは≧１５％ＨＳＢ且つ≦５０％ＨＳＢ、例えば、≧１５
％ＨＳＢ且つ≦４５％ＨＳＢ、≧１５％ＨＳＢ且つ≦４０％ＨＳＢ、または、≧１５％Ｈ
ＳＢ且つ≦３５％ＨＳＢでもよい。Ｄは≧２０％ＨＳＢ且つ≦５０％ＨＳＢ、例えば、≧
２０％ＨＳＢ且つ≦４５％ＨＳＢ、≧２０％ＨＳＢ且つ≦４０％ＨＳＢ、または、≧２０
％ＨＳＢ且つ≦３５％ＨＳＢでもよい。Ｄは、≧２５％ＨＳＢ且つ≦５０％ＨＳＢ、例え
ば、≧２５％ＨＳＢ且つ≦４５％ＨＳＢ、≧２５％ＨＳＢ且つ≦４０％ＨＳＢ、または、
≧２５％ＨＳＢ且つ≦３５％ＨＳＢでもよい。更には、Ｄは≧３０％ＨＳＢ且つ≦５０％
ＨＳＢ、例えば、≧３０％ＨＳＢ且つ≦４５％ＨＳＢ、≧３０％ＨＳＢ且つ≦４０％ＨＳ
Ｂ、または、≧３０％ＨＳＢ且つ≦３５％ＨＳＢでもよい。
【００３０】
図７乃至図９は、第１の構成要素である第１のリンク７０２を第２の構成要素である第
２のリンク７０４に接続するために軸受組立体５００が使用される多リンク組立体７００
を示す。図示するように、第１のリンク７０２は、第１の面７１０、第１の面７１０の反
対側にある第２の面７１２、および、第１の面７１０から第２の面７１２まで第１のリン
ク７０２中を貫通する穴７１４を含む。第２のリンク７０４も第１の面７２０、第１の面
７２０の反対側にある第２の面７２２、および、第１の面７２０から第２の面７２２まで
第２のリンク７０４中を貫通する穴７２４を含む。
【００３１】
図７乃至図４に示すように、ブッシング５０２の第１のブッシング・フランジ５１６が
第１のリンク７０２の第１の面７１０と係合し、ブッシング７０２の外壁が穴７１４の内
壁と係合または接触するように、軸受組立体５００は第１のリンク７０２中の穴７１４内
に設置される。ブッシング５０２の軸方向延在部５１８は第１のリンク７０２の第２の面
７１２を越えて穴７１４から延在してもよい。さらに、変形可能なポスト５３８も第１の
リンク７０２の第２の面７１２を越えて穴７１４から延在してもよい。
【００３２】
第１のリンク７０２の穴７１４に軸受組立体５００が設置された後、リベット５０４は
、第１のリベット・フランジ５３６がブッシング５０２の第１のブッシング・フランジ５
１６と接触するまでＤにわたって移動される。リベット５０４がブッシング５０２内で移
動されると、リベット５０４は軸方向延在部５１８を少なくとも部分的に変形させてブッ
シング５０２の第２のブッシング・フランジを形成する。
【００３３】
具体的には、第１の部分５２２によって形成される肩部はリベット５０４によって外側
に押し出される。リベット５０４によって肩部が外側に押し出されると、ヒンジアームは
、長手軸５２０に対してヒンジアームが略平行な第１の位置から長手軸５２０に対してヒ
ンジアームが外方に角度をなす第２の位置に回転され得る。
【００３４】
その後、第２のリンク７０４中の穴７２４が変形可能なポスト５３８の周りに嵌り、第
２のリンク７０４の第１の面７２０が軸方向延在部５１８の端部、例えば、軸方向延在部
の第２の部分５２４によって形成されるヒンジアームの端部と係合接触するように、第２
のリンク７０４はリベット５０４の変形可能なポスト５３８上に設置される。第２のリン
ク７０４が第１のリンク７０２の方向に移動されると、長手軸５０２から離れるように径
方向外方に曲げられた軸方向延在部５１８は更に外方へ曲げられ、ブッシング５０２の中
空本体５１０の遠位端部５１４から径方向外方に延在するブッシング５０２上の第２のブ
ッシング・フランジ（図示せず）を形成するよう軸方向延在部５１８は第１のリンク７０
２と第２のリンク７０４との間で外方に曲げられ平坦化される。
【００３５】
その後、変形可能なポスト５３８の少なくとも一部分は、第２のリンク７０４の第２の
面２２２に対して平坦化されて第２のリベット・フランジ（図示せず）を形成し、両リン
ク７０２、７０４とブッシング５０２はリベット・フランジ５０４間で捕えられる。
【００３６】
図１０は、別の軸受組立体１０００を示す。軸受組立体１０００は、ブッシング１００
２と、ブッシング１００２内に設置されるリベット１００４とを有する。
【００３７】
図示するように、ブッシング１００２は近位端部１０１２および遠位端部１０１４を定
める中空本体１０１０を含む。第１のブッシング・フランジ１０１６は、中空本体１０１
０の近位端部１０１２から径方向外方に延在する。軸方向延在部１０１８は、中空本体１
０１０の遠位端部１０１４から延在する。軸方向延在部１０１８は、軸受組立体１０００
の中心の長手軸１０２０に対して略平行な方向に延在する。
【００３８】
以下により詳細に説明するように、軸方向延在部１０１８は、中空本体１０１０の遠位
端部１０１４から径方向外方に延在する第２のブッシング・フランジを形成するよう変形
可能である。特に、軸方向延在部１０１８は、第１の角度Ａ１で長手軸１０２０に対して
径方向内方に延在して斜面を形成する第１の部分、および、第２の角度Ａ２で第１の部分
１０２２から離れるように長手軸１０２０に対して外方に延在してフランジ板を形成する
第２の部分１０２４を含む。
【００３９】
ある特定の態様では、Ａ１は≧１０°、例えば、≧１５°、≧２０°、≧２５°、また
は、≧３０°である。更に、Ａ１≦６０°、例えば、≦５５°、≦５０°、≦４５°、ま
たは、≦４０°である。別の態様では、Ａ１は本願に記載する全ての角度を含む、その範
囲内の値を取り得る。
【００４０】
例えば、Ａ１は≧１０°且つ≦６０°、例えば、≧１０°且つ≦５５°、≧１０°且つ
≦５０°、≧１０°且つ≦４５°、または、≧１０°且つ≦４０°でもよい。更に、Ａ１
は≧１５°且つ≦６０°、例えば、≧１５°且つ≦５５°、≧１５°且つ≦５０°、≧１
５°且つ≦４５°、または、≧１５°且つ≦４０°でもよい。Ａ１は、≧２０°且つ≦６
０°、例えば、≧２０°且つ≦５５°、≧２０°且つ≦５０°、≧２０°且つ≦４５°、
または、≧２０°且つ≦４０°でもよい。Ａ１は、また、≧２５°且つ≦６０°、例えば
、≧２５°且つ≦５５°、≧２５°且つ≦５０°、≧２５°且つ≦４５°、または、≧２
５°且つ≦４０°でもよい。更に、Ａ１は、≧３０°且つ≦６０°、例えば、≧３０°且
つ≦５５°、≧３０°且つ≦５０°、≧３０°且つ≦４５°、または、≧３０°且つ≦４
０°でもよい。
【００４１】
別の特定の態様では、Ａ２は、≧１０°、例えば、≧１５°、≧２０°、≧２５°、ま
たは、≧３０°である。更に、Ａ２≦６０°、例えば、≦５５°、≦５０°、≦４５°、
または、≦４０°である。別の態様では、Ａ２は本願に記載する全ての角度を含む、その
範囲内の値を取り得る。例えば、Ａ２は、≧１０°且つ≦６０°、例えば、≧１０°且つ
≦５５°、≧１０°且つ≦５０°、≧１０°且つ≦４５°、または、≧１０°且つ≦４０
°である。更に、Ａ２は≧１５°且つ≦６０°、例えば、≧１５°且つ≦５５°、≧１５
°且つ≦５０°、≧１５°且つ≦４５°、または、≧１５°且つ≦４０°である。Ａ２は
、≧２０°且つ≦６０°、例えば、≧２０°且つ≦５５°、≧２０°且つ≦５０°、≧２
０°且つ≦４５°、または、≧２０°且つ≦４０°でもよい。Ａ２は、また、≧２５°且
つ≦６０°、例えば、≧２５°且つ≦５５°、≧２５°且つ≦５０°、≧２５°且つ≦４
５°、または、≧２５°且つ≦４０°でもよい。更には、Ａ２は≧３０°且つ≦６０°、
例えば、≧３０°且つ≦５５°、≧３０°且つ≦５０°、≧３０°且つ≦４５°、または
、≧３０°且つ≦４０°でもよい。
【００４２】
第１の部分１０２２の形状により、軸方向延在部１０１８はブッシング１００２の中空
本体１０１０の内径ＩＤＨＢ未満の内径ＩＤＡＥを有する。
【００４３】
図１０は、更に、リベット１００４が、近位端部１０３２および遠位端部１０３４を定
める実本体１０３０を含むことを示している。第１のリベット・フランジ１０３６は、リ
ベット１００４の実本体１０３０の近位端部１０３２から径方向外方に延在する。更に、
変形可能なポスト１０３８は、中心軸１０２０に対して略平行な方向に実本体１０３０の
遠位端部１０３４から延在する。変形可能なポスト１０３８は、平坦化されるか、さもな
ければ、変形されて、リベット１００４の実本体１０３０の遠位端部１０３４から径方向
外方に延在する第２のリベット・フランジを形成する。
【００４４】
図１１乃至図１４は、第１の構成要素である第１のリンク１１０２を第２の構成要素で
ある第２のリンク１１０４に接続するために軸受組立体１０００が使用される多リンク組
立体１１００を示す。図示するように、第１のリンク１１０２は、第１の面１１１０、第
１の面１１１０の反対側にある第２の面１１１２、および、第１の面１１１０から第２の
面１１１２まで第１のリンク１１０２中を貫通する穴１１１４を含む。第２のリンク１１
０４も第１の面１１２０、第１の面１１２０の反対側にある第２の面１１２２、および、
第１の面１１２０から第２の面１１２２まで第２のリンク１１０４中を貫通する穴１１２
４を含む。
【００４５】
図１１乃至図１４に示すように、ブッシング１００２の第１のブッシング・フランジ１
０１６が第１のリンク１１０２の第１の面１１１０と係合し、ブッシング１００２の外壁
の少なくとも一部分が穴１１１４の内壁と係合または接触するように、軸受組立体１００
０のブッシング１００２は第１のリンク１１０２中の穴１１１４内に設置される。ブッシ
ング１００２の軸方向延在部１０１８の一部分は、第１のリンク１１０２の第２の面１１
１２を越えて穴１１１４から延在してもよい。
【００４６】
第１のリンク１１０２の穴１１１４に軸受組立体１０００のブッシング１００２が設置
された後、リベット１００４はブッシング１００２内に挿入され、リベット１００４の実
本体１０３０の遠位端部１０３４はブッシング１００２の軸方向延在部１０１８の第１の
部分１０２２によって形成される斜面と係合して、軸方向延在部１０１８を長手軸に対し
て径方向外方に変形させる。
【００４７】
リベット１００４によって斜面が外側に押し出されると、ブッシング１００２の軸方向
延在部１０１８の第２の部分１０２４によって形成されるフランジ板は、第２の部分１０
２４によって形成されるフランジ板が長手軸１０２０に対して角度Ａ２をなし、且つ、ブ
ッシング１００２の第１のブッシング・フランジ１０１６に対して平行でない第１の位置
から、フランジ板がブッシング１００２の第１のブッシング・フランジ１０１６に対して
略平行でありブッシング１００２上に第２のブッシング・フランジ１３００を形成する、
図１３に示す第２の位置まで回転され得る。一旦リベット１００４がブッシング１００２
内に完全に設置されると、リベット１００４の変形可能なポスト１０３８はブッシング１
００２の第２のブッシング・フランジ１３００を越えて延在する。
【００４８】
図１４に示すように、第２のリンク１１０４中の穴１１２４が変形可能なポスト１０３
５の周りに嵌り、第２のリンク１１０４の第１の面１１２０がブッシング１００２の第２
のブッシング・フランジ１３００と係合接触するよう、第２のリンク１１０４はリベット
１００４の変形可能なポスト１０３８上に設置される。リベット１００４の変形可能なポ
スト１０３８の一部分は、第２のリンク１１０４の第２の面１１２２を越えて延在し、変
形可能なポスト１０３８の当該部分は第２のリンク１１０４の第２の面１１２２に対して
平坦化されることで第２のリベット・フランジ１４００を形成し、それにより、両リンク
１１０２、１１０４およびブッシング１００２は、リベット・フランジ１００４、１４０
０間で捕えられる。
【００４９】
図１５は、別の軸受組立体１５００を示す。軸受組立体１５００は、ブッシング１５０
２と、ブッシング１５０２内に設置されるリベット１５０４とを有する。
【００５０】
図示するように、ブッシング１５０２は近位端部１５１２および遠位端部１５１４を定
める中空本体１５１０を含む。第１のブッシング・フランジ１５１６は、中空本体１５１
０の近位端部１５１２から径方向外方に延在する。軸方向延在部１５１８は、中空本体１
５１０の遠位端部１５１４から延在する。軸方向延在部１５１８は、軸受組立体１５００
の中心の長手軸１５２０に対して略平行な方向に延在する。
【００５１】
以下により詳細に説明するように、軸方向延在部１５１８は、中空本体１５１０の遠位
端部１５１４から径方向外方に延在する第２のブッシング・フランジを形成するよう変形
可能である。特に、軸方向延在部１５１８は、第１の角度Ａ１で長手軸１５２０に対して
径方向内方に延在して斜面を形成する第１の部分１５２２、および、第２の角度Ａ２で第
１の部分１５２２から離れるように長手軸１５２０に対して外方に延在して移動可能なフ
ランジ板を形成する第２の部分１５２４を含む。
【００５２】
ある特定の態様では、Ａ１は≧１０°、例えば、≧１５°、≧２０°、≧２５°、また
は、≧３０°である。更に、Ａ１≦６０°、例えば、≦５５°、≦５０°、≦４５°、ま
たは、≦４０°である。別の態様では、Ａ１は本願に記載する全ての角度を含む、その範
囲内の値を取り得る。
【００５３】
例えば、Ａ１は≧１０°且つ≦６０°、例えば、≧１０°且つ≦５５°、≧１０°且つ
≦５０°、≧１０°且つ≦４５°、または、≧１０°且つ≦４０°でもよい。更に、Ａ１
は≧１５°且つ≦６０°、例えば、≧１５°且つ≦５５°、≧１５°且つ≦５０°、≧１
５°且つ≦４５°、または、≧１５°且つ≦４０°でもよい。Ａ１は、≧２０°且つ≦６
０°、例えば、≧２０°且つ≦５５°、≧２０°且つ≦５０°、≧２０°且つ≦４５°、
または、≧２０°且つ≦４０°でもよい。Ａ１は、また、≧２５°且つ≦６０°、例えば
、≧２５°且つ≦５５°、≧２５°且つ≦５０°、≧２５°且つ≦４５°、または、≧２
５°且つ≦４０°でもよい。更に、Ａ１は、≧３０°且つ≦６０°、例えば、≧３０°且
つ≦５５°、≧３０°且つ≦５０°、≧３０°且つ≦４５°、または、≧３０°且つ≦４
０°でもよい。
【００５４】
別の特定の態様では、Ａ２は、≧１０°、例えば、≧１５°、≧２０°、≧２５°、ま
たは、≧３０°である。更に、Ａ２≦６０°、例えば、≦５５°、≦５０°、≦４５°、
または、≦４０°である。別の態様では、Ａ２は本願に記載する全ての角度を含む、その
範囲内の値を取り得る。例えば、Ａ２は、≧１０°且つ≦６０°、例えば、≧１０°且つ
≦５５°、≧１０°且つ≦５０°、≧１０°且つ≦４５°、または、≧１０°且つ≦４０
°である。更に、Ａ２は≧１５°且つ≦６０°、例えば、≧１５°且つ≦５５°、≧１５
°且つ≦５０°、≧１５°且つ≦４５°、または、≧１５°且つ≦４０°である。Ａ２は
、≧２０°且つ≦６０°、例えば、≧２０°且つ≦５５°、≧２０°且つ≦５０°、≧２
０°且つ≦４５°、または、≧２０°且つ≦４０°でもよい。Ａ２は、また、≧２５°且
つ≦６０°、例えば、≧２５°且つ≦５５°、≧２５°且つ≦５０°、≧２５°且つ≦４
５°、または、≧２５°且つ≦４０°でもよい。更には、Ａ２は≧３０°且つ≦６０°、
例えば、≧３０°且つ≦５５°、≧３０°且つ≦５０°、≧３０°且つ≦４５°、または
、≧３０°且つ≦４０°でもよい。
【００５５】
第１の部分１５２２の形状により、軸方向延在部１５１８はブッシング１５０２の中空
本体１５１０の内径ＩＤＨＢ未満の内径ＩＤＡＥを有する。
【００５６】
図１５は、更に、リベット１５０４が、第１のリベット部分１５３０および第２のリベ
ット部分１５３２を含むことを示している。第１のリベット部分１５３０は、近位端部１
５４２および遠位端部１５４４を定める本体１５４０を含む。第１のリベット部分１５３
０の本体１５４０には、第１のリベット部分１５３０の本体１５４０の高さ全体にわたっ
て長手軸１５２０に貫通する中央穴１５４６が設けられる。
【００５７】
中央穴１５４６は、略円筒状の部分１５４８およびそれに取り付けられ、長手軸１５２
０に沿って円筒部分１５４８から長手軸方向に離れるように延在する略円すい状の部分１
５５０を含む。円すい部分１５５０は長手軸１５２０に対して角度Ｂ１で形成される内面
によって境界付けられている。更に、円すい部分１５５０は高さＨＦＰ１を有する。第１
のリベット部分１５３０は、第１のリベット部分１５３０の本体１５４０の近位端部１５
４２から径方向外方に延在する第１のリベット・フランジ１５５２を有してもよい。
【００５８】
図１５に示すように、第２のリベット部分１５３２は、近位端部１５６２および遠位端
部１５６４を有する本体１５６０を含む。変形可能なポスト１５６６は、本体１５６０の
遠位端部１５６４から延在する。本体１５６０と変形可能なポスト１５６６は、第１のリ
ベット部分１５３０の本体１５４０に形成された中央穴１５４６に嵌合するよう構成され
る単一のポストとして考えられることは理解されるであろう。第２のリベット部分１５３
２の本体１５６０は、略円筒状の部分１５６８および略円すい状の部分１５７０を有する
。略円すい状の部分１５７０は、長手軸１５２０に対して角度Ｂ２で形成される外面を有
する。第２のリベット部分１５３２の本体１５６０の円すい部分１５７０は高さＨＦＰ２
を有する。
【００５９】
例えば、Ｂ１は、≧１０°且つ≦６０°、例えば、≧１０°且つ≦５５°、≧１０°且
つ≦５０°、≧１０°且つ≦４５°、または、≧１０°且つ≦４０°でもよい。更に、Ｂ
１は≧１５°且つ≦６０°、例えば、≧１５°且つ≦５５°、≧１５°且つ≦５０°、≧
１５°且つ≦４５°、または、≧１５°且つ≦４０°でもよい。Ｂ１は、≧２０°且つ≦
６０°、例えば、≧２０°且つ≦５５°、≧２０°且つ≦５０°、≧２０°且つ≦４５°
、または、≧２０°且つ≦４０°でもよい。Ｂ１は、また、≧２５°且つ≦６０°、例え
ば、≧２５°且つ≦５５°、≧２５°且つ≦５０°、≧２５°且つ≦４５°、または、≧
２５°且つ≦４０°でもよい。更に、Ｂ１は、≧３０°且つ≦６０°、例えば、≧３０°
且つ≦５５°、≧３０°且つ≦５０°、≧３０°且つ≦４５°、または、≧３０°且つ≦
４０°でもよい。
【００６０】
別の特定の態様では、Ｂ２は、≧１０°、例えば、≧１５°、≧２０°、≧２５°、ま
たは、≧３０°である。更に、Ｂ２≦６０°、例えば、≦５５°、≦５０°、≦４５°、
または、≦４０°である。別の態様では、Ｂ２は本願に記載する全ての角度を含む、その
範囲内の値を取り得る。例えば、Ｂ２は、≧１０°且つ≦６０°、例えば、≧１０°且つ
≦５５°、≧１０°且つ≦５０°、≧１０°且つ≦４５°、または、≧１０°且つ≦４０
°である。更に、Ｂ２は≧１５°且つ≦６０°、例えば、≧１５°且つ≦５５°、≧１５
°且つ≦５０°、≧１５°且つ≦４５°、または、≧１５°且つ≦４０°である。Ｂ２は
、≧２０°且つ≦６０°、例えば、≧２０°且つ≦５５°、≧２０°且つ≦５０°、≧２
０°且つ≦４５°、または、≧２０°且つ≦４０°でもよい。Ｂ２は、また、≧２５°且
つ≦６０°、例えば、≧２５°且つ≦５５°、≧２５°且つ≦５０°、≧２５°且つ≦４
５°、または、≧２５°且つ≦４０°でもよい。更には、Ｂ２は≧３０°且つ≦６０°、
例えば、≧３０°且つ≦５５°、≧３０°且つ≦５０°、≧３０°且つ≦４５°、または
、≧３０°且つ≦４０°でもよい。
【００６１】
更に別の態様では、Ｂ１はＢ２に略等しい。特定の態様では、ＨＦＰ２は、以下に説明
する通り、第２のリベット部分１５３２が中に設置された際に第１のリベット部分１５３
０を径方向外方に拡げるために組立中にウェッジ効果を生ずるよう、ＨＦＰ２＞ＨＰＦ１
でもよい。ＨＦＰ２は、≧１．０１ＨＰＦ１、例えば、≧１．０２ＨＰＦ１、≧１．０５
ＨＰＦ１、または、≧１．１ＨＰＦ１でもよい。更に、ＨＦＰ２は、≦１．２５ＨＰＦ１
、例えば、≦１．２ＨＰＦ１、または、≦１．１５ＨＰＦ１でもよい。別の態様では、Ｈ
ＦＰ２は、本願に記載するＨＦＰ２に対する全ての値を含む、その範囲内の値を取り得る
。
【００６２】
例えば、ＨＦＰ２は、≧１．０１ＨＰＦ１且つ≦１．２５ＨＰＦ１、例えば、≧１．０
１ＨＰＦ１且つ≦１．２ＨＰＦ１、または、≧１．０１ＨＰＦ１且つ≦１．１５ＨＰＦ１
でもよい。ＨＦＰ２は、≧１．０２ＨＰＦ１且つ≦１．２５ＨＰＦ１、例えば、≧１．０
２ＨＰＦ１且つ≦１．２ＨＰＦ１、または、≧１．０２ＨＰＦ１且つ≦１．１５ＨＰＦ１
でもよい。ＨＦＰ２は、≧１．０５ＨＰＦ１且つ≦１．２５ＨＰＦ１、例えば、≧１．０
５ＨＰＦ１且つ≦１．２ＨＰＦ１、または、≧１．０５ＨＰＦ１且つ≦１．１５ＨＰＦ１
でもよい。ＨＦＰ２は、≧１．１ＨＰＦ１且つ≦１．２５ＨＰＦ１、例えば、≧１．１Ｈ
ＰＦ１且つ≦１．２ＨＰＦ１、または、≧１．１ＨＰＦ１且つ≦１．１５ＨＰＦ１でもよ
い。
【００６３】
図１５に示すように、第２のリベット部分１５３２も長手軸１５２０に対して略垂直な
第２のリベット部分１５３２の本体１５６０の近位端部１５６２から径方向外方に延在す
る第２のリベット・フランジ１５７２を有してもよい。
【００６４】
図１５に示すように、第１のリベット部分１５３０の本体１５６０は、第１のリベット
・フランジ１５５３がブッシング１５０２の第１のブッシング・フランジ１５１６から距
離Ｄだけ離間されるようにブッシング１５０２の中空本体１５１０内に嵌合される。第１
のリベット部分１５３０は、設置中に直線方向にＤに沿って軸方向に移動し、軸方向延在
部５１８を少なくとも部分的に変形させてブッシング１５０２の第２のブッシング・フラ
ンジの形成を補助するよう構成され得る。
【００６５】
具体的には、第１の部分１５２２によって形成される斜面は、ブッシング１５０２の中
空本体１５１０に第１のリベット部分１５３０が挿入されるまたは移動されることで外側
に押し出されるよう構成される。第１のリベット部分１５３０がＤだけ移動されると、斜
面は第１のリベット部分１５３０の本体１５４０の遠位端部１５４４によって外側に押し
出される。第１のリベット部分１５３０によって斜面が外側に押し出されると、第２の部
分１５２４によって形成されるフランジ板は、フランジ板が第１の角度で長手軸１５２０
に対して角度をなし、且つ、第１の軸受フランジ１５１６に対して平行でない第１の位置
から、フランジ板が第１のブッシング・フランジ１５１６に対して平行な状態に近付く第
２の角度で長手軸１５２０に対して角度をなす第２の位置まで回転され得る。
【００６６】
第１のリベット部分１５３０への第２のリベット部分１５３２の挿入により、軸方向延
在部１５１８の変形が完了し、軸方向延在部１５１８の第２の部分１５２４によって形成
されるフランジ板は第１のブッシング・フランジ１５１６に対して略平行になる。
【００６７】
ある特定の態様では、第１のリベット部分１５３０の本体１５４０は高さＨＢを有し、
Ｄは≧１０％ＨＢ、例えば、≧１５％ＨＢ、≧２０％ＨＢ、≧２５％ＨＢ、または、≧３
０％ＨＢでもよい。更に、Ｄは≦５０％ＨＢ、例えば、≦４５％ＨＢ、≦４０％ＨＢ、ま
たは、≦３５％ＨＢでもよい。別の態様では、Ｄは、上述の全ての％ＨＢ値を含む、その
範囲内の値を取り得る。
【００６８】
例えば、Ｄは≧１０％ＨＢ且つ≦５０％ＨＢ、例えば、≧１０％ＨＢ且つ≦４５％ＨＢ
、≧１０％ＨＢ且つ≦４０％ＨＢ、または、≧１０％ＨＢ且つ≦３５％ＨＢでもよい。別
の態様では、Ｄは≧１５％ＨＢ且つ≦５０％ＨＢ、例えば、≧１５％ＨＢ且つ≦４５％Ｈ
Ｂ、≧１５％ＨＢ且つ≦４０％ＨＢ、または、≧１５％ＨＢ且つ≦３５％ＨＢでもよい。
Ｄは≧２０％ＨＢ且つ≦５０％ＨＢ、例えば、≧２０％ＨＢ且つ≦４５％ＨＢ、≧２０％
ＨＢ且つ≦４０％ＨＢ、または、≧２０％ＨＢ且つ≦３５％ＨＢでもよい。Ｄは≧２５％
ＨＢ且つ≦５０％ＨＢ、例えば、≧２５％ＨＢ且つ≦４５％ＨＢ、≧２５％ＨＢ且つ≦４
０％ＨＢ、または、≧２５％ＨＢ且つ≦３５％ＨＢでもよい。更には、Ｄは≧３０％ＨＢ
且つ≦５０％ＨＢ、例えば、≧３０％ＨＢ且つ≦４５％ＨＢ、≧３０％ＨＢ且つ≦４０％
ＨＢ、または、≧３０％ＨＢ且つ≦３５％ＨＢでもよい。
【００６９】
図１６乃至図１８は、第１の構成要素である第１のリンク１６０２を第２の構成要素で
ある第２のリンク１６０４に接続するために軸受組立体１５００が使用される多リンク組
立体１６００を示す。図示するように、第１のリンク１６０２は、第１の面１６１０、第
１の面１６１０の反対側にある第２の面１６１２、および、第１の面１６１０から第２の
面１６１２まで第１のリンク１６０２中を貫通する穴１６１４を含む。第２のリンク１６
０４も第１の面１６２０、第１の面１６２０の反対側にある第２の面１６２２、および、
第１の面１６２０から第２の面１６２２まで第２のリンク１６０４中を貫通する穴１６２
４を含む。
【００７０】
図１６乃至図１８に示すように、ブッシング１５０２の第１のブッシング・フランジ１
５１６が第１のリンク１６０２の第１の面１６１０と係合し、ブッシング１５０２の外壁
の少なくとも一部分が穴１６１４の内壁と係合または接触するように、軸受組立体１５０
０のブッシング１５０２は第１のリンク１６０２中の穴１６１４内に設置される。ブッシ
ング１５０２の軸方向延在部１５１８の一部は、第１のリンク１６０２の第２の面１６１
２を越えて穴１６１４から延在してもよい。
【００７１】
第１のリンク１６０２の穴１６１４に軸受組立体１５００が設置された後、第１のリベ
ット部分１５３０はブッシング１５０２内で距離Ｄだけ移動され、第１のリベット部分１
５３０の本体１５４０の遠位端部１５４４はブッシング１５０２の軸方向延在部１５１８
の第１の部分１５２２によって形成される斜面と係合して、長手軸に対して径方向外方に
軸方向延在部１５１８を変形させる。
【００７２】
第１のリベット部分１５３０によって斜面が外側に押し出されると、ブッシング１５０
２の軸方向延在部１５１８の第２の部分１５２４によって形成されたフランジ板は、第２
の部分１５２４によって形成されるフランジ板が長手軸１５２０に対して角度Ａ２をなし
ブッシング１５０２の第１のブッシング・フランジ１５１６に対して平行でない第１の位
置からフランジ板が長手軸１５２０に対して第２の角度をなし、且つ、ブッシング１５０
２の第１のブッシング・フランジ１５１６に対して平行な状態に近付く図１７に示す、第
１のリンクの第２の面１６１２に向かう第２の位置まで回転され得る。
【００７３】
第２のリベット部分１５３２、例えば、第２のリベット部分１５３２の本体１５６０の
円筒部分１５６８は第２のリンク１６０４に形成される穴１６２４に挿入され、次いで、
変形可能なポスト１５６６や第２のリベット部分１５３２の本体１５６０の円すい部分１
５７０は第１のリベット部分１５３０の本体１５４０に形成される穴１５４６に挿入され
る。円すい部分１５７０、例えば、その外面は、ブッシング１５０２の軸方向延在部１５
１８の第２の部分１５２４と係合し、軸方向延在部の第２の部分１５２４を第１のリンク
１６０２の第２の面１６１２に向かって更に変形させる。
【００７４】
第２のリベット部分１５３２が第１のリベット部分１５３０へと更に移動されると、第
２のリンク１６０４の第１の面１６２０はブッシング１５０２の軸方向延在部１５１８の
第２の部分１５２４と接触し、係合する。第２のリベット部分１５３２と第２のリンク１
６０４が第１のリンク１６０２に向かって移動されると、第２の部分１５２４が略平坦と
なり、第１のリンク１６０２と第２のリンク１６０４との間で挟持される、さもなければ
、捕えられて第２の軸受フランジ１８００を形成するまで、第２のリンク１６０４の第１
の面１６２０は第２の部分１５２４を更に変形させる。その後、第１のリベット部分１５
３２中に形成される穴１５４６を通って延在し、第１のリベット・フランジ１５５２を越
える第１のリベット部分１５３２の変形可能なポスト１５６６の一部分は平坦化されるか
、さもなければ、変形されて、多リンク組立体１６００を組立状態で維持することを可能
にする第３のリベット・フランジ１８０２を形成する。
【００７５】
第２のリベット部分１５３２が第１のリベット部分１５３０に設置されると、第２のリ
ベット部分１５３２の本体１６６０の円すい部分１５７０と第１のリベット部分１５３０
の本体１５４０に形成される穴１５４６の円すい部分１５５０との間の高差により、第１
のリベット部分１５３０は径方向外方に拡げられる。別の実施形態では、第２のリベット
部分１５３２の本体の円すい部分１５７０は第１のリベット部分１５３０の本体１５４０
に形成される穴１４６の円すい部分１５５０と同じ高さでもよいが、高さに沿った第２の
リベット部分１５３２の本体１５６０の円すい部分１５７０の直径は、対応する高さでの
第１のリベット部分１５３０の本体１５４０に形成される穴１４６の円すい部分１５５０
の直径よりも大きくてもよい。
【００７６】
例えば、第２のリベット部分１５３２の本体１５６０の円すい部分１５７０はその高さ
に沿った任意の場所で直径ＤＦＰ２を有する。第１のリベット部分１５３０の本体１５４
０に形成される穴１４６の円すい部分１５５０は、その高さに沿った対応する場所で直径
ＤＦＰ１を有する。任意の場所においてＤＦＰ２は＞ＤＦＰ１である。例えば、ＤＦＰ２
は≧１．０１ＤＰＦ１、例えば、≧１．０２ＤＰＦ１、≧１．０５ＤＰＦ１、または、≧
１．１ＤＰＦ１でもよい。更に、ＤＦＰ２は、≦１．２５ＤＰＦ１、例えば、≦１．２Ｄ
ＰＦ１、または、≦１．１５ＤＰＦ１．でもよい。別の態様では、ＤＦＰ２は、本願に記
載するＤＦＰ２に対する全ての値を含む、その範囲内の値を取り得る。
【００７７】
例えば、ＤＦＰ２は、≧１．０１ＤＰＦ１且つ≦１．２５ＤＰＦ１、例えば、≧１．０
１ＤＰＦ１且つ≦１．２ＤＰＦ１、または、≧１．０１ＤＰＦ１且つ≦１．１５ＤＰＦ１
でもよい。ＤＦＰ２は、≧１．０２ＤＰＦ１且つ≦１．２５ＤＰＦ１、例えば、≧１．０
２ＤＰＦ１且つ≦１．２ＤＰＦ１、または、≧１．０２ＤＰＦ１且つ≦１．１５ＤＰＦ１
でもよい。ＤＦＰ２は、≧１．０５ＤＰＦ１且つ≦１．２５ＤＰＦ１、例えば、≧１．０
５ＤＰＦ１且つ≦１．２ＤＰＦ１、または、≧１．０５ＤＰＦ１且つ≦１．１５ＤＰＦ１
でもよい。ＤＦＰ２は、≧１．１ＤＰＦ１且つ≦１．２５ＤＰＦ１、例えば、≧１．１Ｄ
ＰＦ１且つ≦１．２ＤＰＦ１、または、≧１．１ＤＰＦ１且つ≦１．１５ＤＰＦ１でもよ
い。
【００７８】
本願に記載するように、第２のリベット部分１５３２が中に設置されると、直径の差に
よって、第１のリベット部分１５３０は径方向外方に拡げられる。特定の態様では、第１
のリベット部分１５３０は未組立時外径ＯＤＵと組立時外径ＯＤＡを有する。本願に記載
するように、高差または外径差により、ＯＤＵは≦ＯＤＡ、例えば、≦９９％ＯＤＡ、≦
９８％ＯＤＡ、≦９７％ＯＤＡ、≦９６％ＯＤＡ、または、≦９５％ＯＤＡでもよい。更
に、ＯＤＵは、≧８５％ＯＤＡ、例えば、≧８６％ＯＤＡ、≧８７％ＯＤＡ、≧８８％Ｏ
ＤＡ、≧８９％ＯＤＡ、または、≧９０％ＯＤＡでもよい。ＯＤＵは、本願に記載する全
ての％ＯＤＡ値を含む、その範囲内の値を取り得る。
【００７９】
例えば、ＯＤＵは≦９９％ＯＤＡ且つ≧８５％ＯＤＡ、例えば、≦９９％ＯＤＡ且つ≧
８６％ＯＤＡ、≦９９％ＯＤＡ且つ≧８７％ＯＤＡ、≦９９％ＯＤＡ且つ≧８８％ＯＤＡ
、≦９９％ＯＤＡ且つ≧８９％ＯＤＡ、または、≦９９％ＯＤＡ且つ≧９０％ＯＤＡでも
よい。ＯＤＵは、≦９８％ＯＤＡ且つ≧８５％ＯＤＡ、例えば、≦９８％ＯＤＡ且つ≧８
６％ＯＤＡ、≦９８％ＯＤＡ且つ≧８７％ＯＤＡ、≦９８％ＯＤＡ且つ≧８８％ＯＤＡ、
≦９８％ＯＤＡ且つ≧８９％ＯＤＡ、または、≦９８％ＯＤＡ且つ≧９０％ＯＤＡでもよ
い。ＯＤＵは、≦９７％ＯＤＡ且つ≧８５％ＯＤＡ、≦９７％ＯＤＡ且つ≧８６％ＯＤＡ
、≦９７％ＯＤＡ且つ≧８７％ＯＤＡ、≦９７％ＯＤＡ且つ≧８８％ＯＤＡ、≦９７％Ｏ
ＤＡ且つ≧８９％ＯＤＡ、または、≦９７％ＯＤＡ且つ≧９０％ＯＤＡでもよい。ＯＤＵ
は、≦９６％ＯＤＡ且つ≧８５％ＯＤＡ、例えば、≦９６％ＯＤＡ且つ≧８６％ＯＤＡ、
≦９６％ＯＤＡ且つ≧８７％ＯＤＡ、≦９６％ＯＤＡ且つ≧８８％ＯＤＡ、≦９６％ＯＤ
Ａ且つ≧８９％ＯＤＡ、または、≦９６％ＯＤＡ且つ≧９０％ＯＤＡでもよい。ＯＤＵは
、≦９５％ＯＤＡ且つ≧８５％ＯＤＡ、例えば、≦９５％ＯＤＡ且つ≧８６％ＯＤＡ、≦
９５％ＯＤＡ且つ≧８７％ＯＤＡ、≦９５％ＯＤＡ且つ≧８８％ＯＤＡ、≦９５％ＯＤＡ
且つ≧８９％ＯＤＡ、または、≦９５％ＯＤＡ且つ≧９０％ＯＤＡでもよい。
【００８０】
組立中に第１のリベット部分１５３０が拡げられることにより、結果として得られる組
立体１６００は実質的にきつく回転に抵抗することができる負のクリアランス組立体でも
よい。ブッシング１５０２、例えば、内面、外面、または、内外面に設けられる軸受ライ
ナー層は圧縮状態にある。図１８に示すように、組立体１６００が完全に組み立てられた
後、組立体１６００はトルク限界Ｔを有し、その限界を超えると組立体１６００は回転す
ることができる。特定の態様では、Ｔは≧２０インチ・ポンド、例えば、≧２５インチ・
ポンド、≧３０インチ・ポンド、≧３５インチ・ポンド、≧４０インチ・ポンド、≧４５
インチ・ポンド、または、≧５０インチ・ポンドでもよい。別の態様では、Ｔは≦２００
インチ・ポンド、例えば、≦１７５インチ・ポンド、≦１５０インチ・ポンド、または、
≦１２５インチ・ポンドでもよい。Ｔは、本願に記載するＴの全ての値を含む、その範囲
内の値を取り得る。
【００８１】
例えば、Ｔは、≧２０インチ・ポンド且つ≦２００インチ・ポンド、例えば、≧２０イ
ンチ・ポンド且つ≦１７５インチ・ポンド、≧２０インチ・ポンド且つ≦１５０インチ・
ポンド、または、≧２０インチ・ポンド且つ≦１２５インチ・ポンドでもよい。別の態様
では、Ｔは≧２５インチ・ポンド且つ≦２００インチ・ポンド、例えば、≧２５インチ・
ポンド且つ≦１７５インチ・ポンド、≧２５インチ・ポンド且つ≦１５０インチ・ポンド
、または、≧２５インチ・ポンド且つ≦１２５インチ・ポンドでもよい。Ｔは≧３０イン
チ・ポンド且つ≦２００インチ・ポンド、例えば、≧３０インチ・ポンド且つ≦１７５イ
ンチ・ポンド、≧３０インチ・ポンド且つ≦１５０インチ・ポンド、または、≧３０イン
チ・ポンド且つ≦１２５インチ・ポンドでもよい。Ｔは、≧３５インチ・ポンド且つ≦２
００インチ・ポンド、例えば、≧３５インチ・ポンド且つ≦１７５インチ・ポンド、≧３
５インチ・ポンド且つ≦１５０インチ・ポンド、または、≧３５インチ・ポンド且つ≦１
２５インチ・ポンドでもよい。Ｔは、≧４０インチ・ポンド且つ≦２００インチ・ポンド
、例えば、≧４０インチ・ポンド且つ≦１７５インチ・ポンド、≧４０インチ・ポンド且
つ≦１５０インチ・ポンド、または、≧４０インチ・ポンド且つ≦１２５インチ・ポンド
でもよい。Ｔは、≧４５インチ・ポンド且つ≦２００インチ・ポンド、例えば、≧４５イ
ンチ・ポンド且つ≦１７５インチ・ポンド、≧４５インチ・ポンド且つ≦１５０インチ・
ポンド、または、≧４５インチ・ポンド且つ≦１２５インチ・ポンドでもよい。更には、
Ｔは≧５０インチ・ポンド且つ≦２００インチ・ポンド、例えば、≧５０インチ・ポンド
且つ≦１７５インチ・ポンド、≧５０インチ・ポンド且つ≦１５０インチ・ポンド、また
は、≧５０インチ・ポンド且つ≦１２５インチ・ポンドでもよい。
【００８２】
本願に記載する各実施形態では、ブッシングは中空本体の内面に沿って、中空本体の外
面に沿って、あるいは、中空本体の内面および外面の両方に沿って延在する低摩擦層を含
んでもよい。更に、低摩擦層は、軸受フランジの両側に沿って延在してもよい。低摩擦層
はポリマーよりなり得る。更に、ポリマーはフルオロポリマーを含んでもよい。更には、
低摩擦層は、ポリテトラフルオロエチレン（ＰＴＦＥ）を含んでもよい。
【００８３】
更に、本願記載の各実施形態では、第１のブッシング・フランジは厚さＴＦＦを有し、
軸方向延在部は厚さＴＡＥを有する。ＴＦＦは、≧９０％ＴＡＥ、例えば、≧９５％ＴＡ
Ｅ、≧９６％ＴＡＥ、≧９７％ＴＡＥ、≧９８％ＴＡＥ、≧９９％ＴＡＥ、または、≧１
００％ＴＡＥでもよい。ＴＦＦは、≦１１０％ＴＡＥ、例えば、≦１０５％ＴＡＥ、≦１
０４％ＴＡＥ、≦１０３％ＴＡＥ、≦１０２％ＴＡＥ、または、≦１０１％ＴＡＥでもよ
い。ＴＦＦは、本願記載の全ての％ＴＡＥ値を含む、その範囲内の値を取り得る。
【００８４】
例えば、ＴＦＦは、≧９０％ＴＡＥ且つ≦１１０％ＴＡＥ、例えば、≧９０％ＴＡＥ且
つ≦１０５％ＴＡＥ、≧９０％ＴＡＥ且つ≦１０４％ＴＡＥ、≧９０％ＴＡＥ且つ≦１０
３％ＴＡＥ、≧９０％ＴＡＥ且つ≦１０２％ＴＡＥ、または、≧９０％ＴＡＥ且つ≦１０
１％ＴＡＥでもよい。ＴＦＦは、≧９５％ＴＡＥ且つ≦１１０％ＴＡＥ、例えば、≧９５
％ＴＡＥ且つ≦１０５％ＴＡＥ、≧９５％ＴＡＥ且つ≦１０４％ＴＡＥ、≧９５％ＴＡＥ
且つ≦１０３％ＴＡＥ、≧９５％ＴＡＥ且つ≦１０２％ＴＡＥ、または、≧９５％ＴＡＥ
且つ≦１０１％ＴＡＥでもよい。ＴＦＦは、≧９６％ＴＡＥ且つ≦１１０％ＴＡＥ、例え
ば、≧９６％ＴＡＥ且つ≦１０５％ＴＡＥ、≧９６％ＴＡＥ且つ≦１０４％ＴＡＥ、≧９
６％ＴＡＥ且つ≦１０３％ＴＡＥ、≧９６％ＴＡＥ且つ≦１０２％ＴＡＥ、または、≧９
６％ＴＡＥ且つ≦１０１％ＴＡＥでもよい。ＴＦＦは、≧９７％ＴＡＥ且つ≦１１０％Ｔ
ＡＥ、例えば、≧９７％ＴＡＥ且つ≦１０５％ＴＡＥ、≧９７％ＴＡＥ且つ≦１０４％Ｔ
ＡＥ、≧９７％ＴＡＥ且つ≦１０３％ＴＡＥ、≧９７％ＴＡＥ且つ≦１０２％ＴＡＥ、ま
たは、≧９７％ＴＡＥ且つ≦１０１％ＴＡＥでもよい。ＴＦＦは、≧９８％ＴＡＥ且つ≦
１１０％ＴＡＥ、例えば、≧９８％ＴＡＥ且つ≦１０５％ＴＡＥ、≧９８％ＴＡＥ且つ≦
１０４％ＴＡＥ、≧９８％ＴＡＥ且つ≦１０３％ＴＡＥ、≧９８％ＴＡＥ且つ≦１０２％
ＴＡＥ、または、≧９８％ＴＡＥ且つ≦１０１％ＴＡＥでもよい。ＴＦＦは、≧９９％Ｔ
ＡＥ且つ≦１１０％ＴＡＥ、例えば、≧９９％ＴＡＥ且つ≦１０５％ＴＡＥ、≧９９％Ｔ
ＡＥ且つ≦１０４％ＴＡＥ、≧９９％ＴＡＥ且つ≦１０３％ＴＡＥ、≧９９％ＴＡＥ且つ
≦１０２％ＴＡＥ、または、≧９９％ＴＡＥ且つ≦１０１％ＴＡＥでもよい。ＴＦＦは、
≧１００％ＴＡＥ且つ≦１１０％ＴＡＥ、例えば、≧１００％ＴＡＥ且つ≦１０５％ＴＡ
Ｅ、≧１００％ＴＡＥ且つ≦１０４％ＴＡＥ、≧１００％ＴＡＥ且つ≦１０３％ＴＡＥ、
≧１００％ＴＡＥ且つ≦１０２％ＴＡＥ、または、≧１００％ＴＡＥ且つ≦１０１％ＴＡ
Ｅでもよい。
【００８５】
別の態様では、本願記載の全ての実施形態において、中空本体は厚さＴＨＢを有し、Ｔ
ＨＢは≧９０％ＴＡＥ、例えば、≧９５％ＴＡＥ、≧９６％ＴＡＥ、≧９７％ＴＡＥ、≧
９８％ＴＡＥ、≧９９％ＴＡＥ、または、≧１００％ＴＡＥでもよい。さもなければ、Ｔ
ＨＢは≦１１０％ＴＡＥ、例えば、≦１０５％ＴＡＥ、≦１０４％ＴＡＥ、≦１０３％Ｔ
ＡＥ、≦１０２％ＴＡＥ、または、≦１０１％ＴＡＥでもよい。ＴＨＢは、本願記載の全
ての％ＴＡＥ値を含む、その範囲内の値を取り得る。
【００８６】
例えば、ＴＨＢは、≧９０％ＴＡＥ且つ≦１１０％ＴＡＥ、例えば、≧９０％ＴＡＥ且
つ≦１０５％ＴＡＥ、≧９０％ＴＡＥ且つ≦１０４％ＴＡＥ、≧９０％ＴＡＥ且つ≦１０
３％ＴＡＥ、≧９０％ＴＡＥ且つ≦１０２％ＴＡＥ、または、≧９０％ＴＡＥ且つ≦１０
１％ＴＡＥでもよい。ＴＨＢは、≧９５％ＴＡＥ且つ≦１１０％ＴＡＥ、例えば、≧９５
％ＴＡＥ且つ≦１０５％ＴＡＥ、≧９５％ＴＡＥ且つ≦１０４％ＴＡＥ、≧９５％ＴＡＥ
且つ≦１０３％ＴＡＥ、≧９５％ＴＡＥ且つ≦１０２％ＴＡＥ、または、≧９５％ＴＡＥ
且つ≦１０１％ＴＡＥでもよい。ＴＨＢは、≧９６％ＴＡＥ且つ≦１１０％ＴＡＥ、例え
ば、≧９６％ＴＡＥ且つ≦１０５％ＴＡＥ、≧９６％ＴＡＥ且つ≦１０４％ＴＡＥ、≧９
６％ＴＡＥ且つ≦１０３％ＴＡＥ、≧９６％ＴＡＥ且つ≦１０２％ＴＡＥ、または、≧９
６％ＴＡＥ且つ≦１０１％ＴＡＥでもよい。ＴＨＢは、≧９７％ＴＡＥ且つ≦１１０％Ｔ
ＡＥ、例えば、≧９７％ＴＡＥ且つ≦１０５％ＴＡＥ、≧９７％ＴＡＥ且つ≦１０４％Ｔ
ＡＥ、≧９７％ＴＡＥ且つ≦１０３％ＴＡＥ、≧９７％ＴＡＥ且つ≦１０２％ＴＡＥ、ま
たは、≧９７％ＴＡＥ且つ≦１０１％ＴＡＥでもよい。ＴＨＢは、≧９８％ＴＡＥ且つ≦
１１０％ＴＡＥ、例えば、≧９８％ＴＡＥ且つ≦１０５％ＴＡＥ、≧９８％ＴＡＥ且つ≦
１０４％ＴＡＥ、≧９８％ＴＡＥ且つ≦１０３％ＴＡＥ、≧９８％ＴＡＥと≦１０２％Ｔ
ＡＥ、または、≧９８％ＴＡＥと≦１０１％ＴＡＥでもよい。ＴＨＢは、≧９９％ＴＡＥ
且つ≦１１０％ＴＡＥ、例えば、≧９９％ＴＡＥ且つ≦１０５％ＴＡＥ、≧９９％ＴＡＥ
且つ≦１０４％ＴＡＥ、≧９９％ＴＡＥ且つ≦１０３％ＴＡＥ、≧９９％ＴＡＥ且つ≦１
０２％ＴＡＥ、または、≧９９％ＴＡＥ且つ≦１０１％ＴＡＥでもよい。ＴＨＢは、≧１
００％ＴＡＥ且つ≦１１０％ＴＡＥ、例えば、≧１００％ＴＡＥ且つ≦１０５％ＴＡＥ、
≧１００％ＴＡＥ且つ≦１０４％ＴＡＥ、≧１００％ＴＡＥ且つ≦１０３％ＴＡＥ、≧１
００％ＴＡＥ且つ≦１０２％ＴＡＥ、または、≧１００％ＴＡＥ且つ≦１０１％ＴＡＥで
もよい。
【００８７】
別の態様では、本願記載の各実施形態では、第２のブッシング・フランジは厚さＴＳＦ
を有し、ＴＨＢは≧９０％ＴＳＦ、例えば、≧９５％ＴＳＦ、≧９６％ＴＳＦ、≧９７％
ＴＳＦ、≧９８％ＴＳＦ、≧９９％ＴＳＦ、または、≧１００％ＴＳＦでもよい。更に、
ＴＨＢは≦１１０％ＴＳＦ、例えば、≦１０５％ＴＳＦ、≦１０４％ＴＳＦ、≦１０３％
ＴＳＦ、≦１０２％ＴＳＦ、または、≦１０１％ＴＳＦでもよい。ＴＨＢは、本願記載の
全ての％ＴＳＦ値を含む、その範囲内の値を取り得る。
【００８８】
例えば、ＴＨＢは、≧９０％ＴＳＦ且つ≦１１０％ＴＳＦ、例えば、≧９０％ＴＳＦ且
つ≦１０５％ＴＳＦ、≧９０％ＴＳＦ且つ≦１０４％ＴＳＦ、≧９０％ＴＳＦ且つ≦１０
３％ＴＳＦ、≧９０％ＴＳＦ且つ≦１０２％ＴＳＦ、または、≧９０％ＴＳＦ且つ≦１０
１％ＴＳＦでもよい。ＴＨＢは、≧９５％ＴＳＦ且つ≦１１０％ＴＳＦ、例えば、≧９５
％ＴＳＦ且つ≦１０５％ＴＳＦ、≧９５％ＴＳＦ且つ≦１０４％ＴＳＦ、≧９５％ＴＳＦ
且つ≦１０３％ＴＳＦ、≧９５％ＴＳＦ且つ≦１０２％ＴＳＦ、または、≧９５％ＴＳＦ
且つ≦１０１％ＴＳＦでもよい。ＴＨＢは、≧９６％ＴＳＦ且つ≦１１０％ＴＳＦ、例え
ば、≧９６％ＴＳＦ且つ≦１０５％ＴＳＦ、≧９６％ＴＳＦ且つ≦１０４％ＴＳＦ、≧９
６％ＴＳＦ且つ≦１０３％ＴＳＦ、≧９６％ＴＳＦ且つ≦１０２％ＴＳＦ、または、≧９
６％ＴＳＦ且つ≦１０１％ＴＳＦでもよい。ＴＨＢは、≧９７％ＴＳＦ且つ≦１１０％Ｔ
ＳＦ、例えば、≧９７％ＴＳＦ且つ≦１０５％ＴＳＦ、≧９７％ＴＳＦ且つ≦１０４％Ｔ
ＳＦ、≧９７％ＴＳＦ且つ≦１０３％ＴＳＦ、≧９７％ＴＳＦ且つ≦１０２％ＴＳＦ、ま
たは、≧９７％ＴＳＦ且つ≦１０１％ＴＳＦでもよい。ＴＨＢは、≧９８％ＴＳＦ且つ≦
１１０％ＴＳＦ、例えば、≧９８％ＴＳＦ且つ≦１０５％ＴＳＦ、≧９８％ＴＳＦ且つ≦
１０４％ＴＳＦ、≧９８％ＴＳＦ且つ≦１０３％ＴＳＦ、≧９８％ＴＳＦ且つ≦１０２％
ＴＳＦ、または、≧９８％ＴＳＦ且つ≦１０１％ＴＳＦでもよい。ＴＨＢは、≧９９％Ｔ
ＳＦ且つ≦１１０％ＴＳＦ、例えば、≧９９％ＴＳＦ且つ≦１０５％ＴＳＦ、≧９９％Ｔ
ＳＦ且つ≦１０４％ＴＳＦ、≧９９％ＴＳＦ且つ≦１０３％ＴＳＦ、≧９９％ＴＳＦ且つ
≦１０２％ＴＳＦ、または、≧９９％ＴＳＦ且つ≦１０１％ＴＳＦでもよい。ＴＨＢは、
≧１００％ＴＳＦ且つ≦１１０％ＴＳＦ、例えば、≧１００％ＴＳＦ且つ≦１０５％ＴＳ
Ｆ、≧１００％ＴＳＦ且つ≦１０４％ＴＳＦ、≧１００％ＴＳＦ且つ≦１０３％ＴＳＦ、
≧１００％ＴＳＦ且つ≦１０２％ＴＳＦ、または、≧１００％ＴＳＦ且つ≦１０１％ＴＳ
Ｆでもよい。
【００８９】
本願記載の構造の構成により、軸受組立体は、二つの部品を非常に迅速に且つ簡単に整
列させて接続させることができるブッシングと締結具を提供する。軸受組立体は、二つの
部品間のピボットとして使用され得る。軸受組立体上の軸受層により、より広い許容範囲
を有する部品を接続するために軸受組立体を使用することができる。あるいは、軸受組立
体は、クリアリングを負のクリアランスに減少することで、所定のトルク制限まで二つの
部品間の回転を防止するために使用され得る。
【００９０】
第２のブッシングを形成する動作は、リベットを設置する際、第２のリンクを設置する
際、第２のリベット部分を設置する際、あるいは、その全ての組み合わせにおいて実施さ
れ得る。これにより、第２のブッシング・フランジを形成するための単独処理を、二つの
部品を接続する処理から排除することができる。リベットまたは第１のリベット部分を溶
接によってブッシングに接続することで、事前組立体が形成されることは理解されるであ
ろう。事前組立体が第１のリンク内に設置され、設置力がリベットに付与されると、溶接
が壊れ、本願に記載するようにリベットはブッシング内を移動することができる。
【００９１】
溶接は、リベットとブッシングとの間の接合部分の周囲における様々な場所で一連のス
ポット溶接を含む。あるいは、溶接は、リベットとブッシングとの間の接合部分の周囲に
おける連続的な溶接、または、リベットとブッシングとの間の接合部分の周囲に均等に分
けられ、非溶接部分によって離されている一連の小さい連続的な溶接（スポットより大き
い）を含む。
【００９２】
当業者には、本願記載の特徴を一つ以上有するトレランスリングを利用し得る他の出願
があることは理解されるであろう。
【００９３】
付記
【００９４】
付記１：軸受装置であって、ブッシングを備え、ブッシングは、内径ＩＤＨＢを有し、
互いと反対側にある近位端部および遠位端部を含む中空本体、本体の近位端部から径方向
外方に延在する第１のブッシング・フランジ、および、中空本体の前記遠位端部から延在
する軸方向延在部であって、中空本体の遠位端部から径方向外方に延在する第２のブッシ
ング・フランジを形成するよう変形可能であり、ＩＤＡＥ≦ＩＤＨＢの内径を有する軸方
向延在部を有する、軸受装置。
【００９５】
付記２：ブッシングと、ブッシングと係合されるリベットとを備える締結装置であって
、ブッシングは、内径ＩＤＨＢを有し、互いと反対側にある近位端部および遠位端部を含
む中空本体、本体の近位端部から径方向外方に延在する第１のブッシング・フランジ、お
よび、中空本体の前記遠位端部から延在する軸方向延在部であって、中空本体の遠位端部
から径方向外方に延在する第２のブッシング・フランジを形成するよう変形可能であり、
ＩＤＡＥ≦ＩＤＨＢの内径を有する軸方向延在部を有し、リベットは、近位端部および近
位端部の反対側にある遠位端部を定める本体、本体の近位端部から径方向外方に延在する
リベット・フランジ、および本体の遠位端部から延在する変形可能なポストであって、リ
ベット・フランジがブッシングの第１のブッシング・フランジと係合するよう本体が中空
本体内に嵌合するよう構成される変形可能なポストを有する、締結装置。
【００９６】
付記３：リベットの本体は高さＨＳＢを有し、ブッシングの中空本体は高さＨＨＢを有
し、ＨＳＢ≦ＨＨＢであり、ＨＳＢ≦ＨＨＢ、例えば、ＨＳＢ≦９９％ＨＨＢ、ＨＳＢ≦
９８％ＨＨＢ、ＨＳＢ≦９７％ＨＨＢ、ＨＳＢ≦９６％ＨＨＢ、または、ＨＳＢ≦９５％
ＨＨＢである、付記２記載の装置。
【００９７】
付記４：ＨＳＢ≧９０％ＨＨＢ、≧９１％ＨＨＢ、≧９２％ＨＨＢ、≧９３％ＨＨＢ、
または、≧９４％ＨＨＢである付記３記載の装置。
【００９８】
付記５：ブッシングと、ブッシングと係合されるリベットとを備える締結装置であって
、ブッシングは、互いと反対側にある近位端部および遠位端部を含む中空本体、中空本体
の近位端部から径方向外方に延在する第１のブッシング・フランジ、および、中空本体の
遠位端部から延在する軸方向延在部であって、中空本体の遠位端部から径方向外方に延在
する第２のブッシング・フランジを形成するよう変形可能な軸方向延在部を有し、リベッ
トは、近位端部および近位端部の反対側にある遠位端部を定める本体、本体の近位端部か
ら径方向外方に延在するリベット・フランジ、および、本体の遠位端部から延在する変形
可能なポストを有し、本体はブリベット・フランジがブッシングの第１のブッシング・フ
ランジから距離Ｄだけ離間されるように中空本体内に嵌合され、リベットは設置の際にＤ
だけ軸方向に移動し、少なくとも部分的に軸方向延在部を変形させて第２のブッシング・
フランジを形成する、締結装置。
【００９９】
付記６：リベットの本体は高さＨＳＢを有し、Ｄ≧１０％ＨＳＢ、例えば、≧１５％Ｈ
ＳＢ，≧２０％ＨＳＢ、≧２５％ＨＳＢ、または、≧３０％ＨＳＢである、付記５記載の
装置。
【０１００】
付記７：Ｄは、≦５０％ＨＳＢ、例えば、≦４５％ＨＳＢ、≦４０％ＨＳＢ、または、
≦３５％ＨＳＢである、付記６記載の装置。
【０１０１】
付記８：ブッシングと、ブッシングと係合されるリベットとを備える締結装置であって
、ブッシングは、互いと反対側にある近位端部および遠位端部を定める中空本体、中空本
体の近位端部から径方向外方に延在する第１のブッシング・フランジ、および、中空本体
の遠位端部から延在する軸方向延在部であって、中空本体の遠位端部から径方向外方に延
在する第２のブッシング・フランジを形成するよう変形可能な軸方向延在部を有し、リベ
ットは、近位端部および遠位端部を定め、長さ方向に中央穴を有する本体、および、本体
の近位端部から径方向外方に延在する第１のブッシング・フランジを含む第１のリベット
部分、および、第２のブッシング・フランジおよび第２のブッシング・フランジから延在
するポストを含む第２のリベット部分を有し、ポストは第１のリベット部分の中央穴に嵌
合するよう構成され、第１のリベット部分および第２のリベット部分は互いと係合し少な
くとも部分的に軸方向延在部を変形させて第２のブッシング・フランジを形成する、締結
装置。
【０１０２】
付記９：第２のリベット部分は、ポストが第１のリベット部分の穴内に設置されると第
１のリベット部分を外方に拡げる、付記８記載の装置。
【０１０３】
付記１０：第１のリベット部分は未組立時外径ＯＤＵと組立時ＯＤＡを有し、ＯＤＵ≦
ＯＤＡ、例えば、≦９９％ＯＤＡ、≦９８％ＯＤＡ、≦９７％ＯＤＡ、≦９６％ＯＤＡ、
または、≦９５％ＯＤＡである、付記９記載の装置。
【０１０４】
付記１１：ＯＤＵ≧８５％ＯＤＡ、例えば、≧８６％ＯＤＡ、≧８７％ＯＤＡ、≧８８
％ＯＤＡ、≧８９％ＯＤＡ、または、≧９０％ＯＤＡである付記１０記載の装置。
【０１０５】
付記１２：ヒンジ装置であって、第１の穴が形成された第１の構成要素と、第１の穴内
に設置されたブッシングと、リベットと、第２の穴が形成された第２の構成要素とを有し
、ブッシングは互いと反対側にある近位端部および遠位端部有する内径ＩＤＨＢの中空本
体、中空本体の近位端部から延在する第１のブッシング・フランジ、および、中空本体の
遠位端部から延在する軸方向延在部であって、中空本体の遠位端部から径方向外方に延在
する第２のブッシング・フランジを形成するよう変形可能であり、内径ＩＤＡＥ≦ＩＤＨ
Ｂを有する軸方向延在部を有し、リベットはブッシングの中空本体内に設置され、リベッ
トは近位端部および近位端部の反対側にある遠位端部を定める本体、本体の近位端部から
径方向外方に延在するリベット・フランジ、本体の遠位端部から延在する変形可能なポス
トを有し、第２の構成要素はリベットの変形可能なポスト上に設置され、第２の構成要素
は、リベットの変形可能なポスト上において第２の構成要素が軸方向に摺動されると軸方
向延長を少なくとも部分的に変形させて第２のブッシング・フランジを形成する、ヒンジ
装置。
【０１０６】
付記１３：第２のブッシング・フランジは、設置後に第１の構成要素と第２の構成要素
との間で平坦化される、付記１２記載の装置。
【０１０７】
付記１４：  第１の構成要素と第２の構成要素とを組み立てる方法であって、第１の構
成要素の第１の穴にブッシングを設置するステップであって、ブッシングは長手軸を定め
、互いと反対側にある近位端部および遠位端部を含む中空本体、中空本体の近位端部から
径方向外方に延在する第１のブッシングランジ、および、中空本体の遠位端部から延在す
る軸方向延在部を有する、ステップと、長手軸に沿った直線方向においてブッシング中に
リベットを摺動させるステップと、長手軸に沿った直線方向において第２の構成要素の第
２の穴をリベット上に摺動させるステップであって、リベットの移動、第２の構成要素の
移動、または、リベットおよび第２の構成要素の移動の組み合わせにより軸方向延在部は
ブッシングの本体の遠位端部から径方向外方に延在する第２のブッシング・フランジに変
形されるステップと、リベットの一部分を変形させるステップと、を備える方法。
【０１０８】
付記１５：軸方向延在部の外径ＯＤＡＥは、中空本体の外径ＯＤＨＢ未満である、付記
１、２、５、８、１２、または、１４のうちいずれか一付記記載の装置または方法。
【０１０９】
付記１６：軸方向延在部は、中空本体から離れるよう長手軸方向に延在し、軸方向延在
部の少なくとも一部分は長手軸に対して内方に曲げられる、付記１、２、５、８、１２、
または、１４のうちいずれか一付記記載の装置または方法。
【０１１０】
付記１７：軸方向延在部は、長手軸に対して内方に撓んだ凹状側壁を有する、付記１６
記載の装置または方法。
【０１１１】
付記１８：  軸方向延在部は、長手軸に対して径方向内方に延在して肩部を形成する第
１の部分、および、第１の部分から離れるよう長手軸方向に延在してヒンジアームを形成
する第２の部分を有する、付記１６記載の装置または方法。
【０１１２】
付記１９：  肩部は、中空本体にリベットが挿入されると外側に押し出されるよう構成
され、肩部が外側に押し出されると、ヒンジアームは、長手軸に対してヒンジアームが平
行な第１の位置から長手軸に対してヒンジアームが外方に角度をなす第２の位置まで回転
される、付記１８記載の装置または方法。
【０１１３】
付記２０：  軸方向延在部は、長手軸に対して第１のブッシング・フランジ角度Ａ１で
中空本体から径方向内方に延在して斜面を形成する第１の部分、および、長手軸に対して
第２のブッシング・フランジ角度Ａ２で第１の部分から径方向外方に延在してフランジ板
を形成する第２の部分を有する、付記１６記載の装置または方法。
【０１１４】
付記２１：  斜面は、中空本体にリベットが挿入されると外側に押し出されるよう構成
され、斜面が外側に押し出されると、フランジ板は、第１のブッシング・フランジに対し
てフランジ板が平行でない第１の位置から第１のブッシング・フランジに対してフランジ
板が略平行な第２の位置まで移動される、付記２０記載の装置または方法。
【０１１５】
付記２２：Ａ１は≧１０°、例えば、≧１５°、≧２０°、≧２５°、または、≧３０
°である、付記２０記載の装置または方法。
【０１１６】
付記２３：Ａ１≦６０°、例えば、≦５５°、≦５０°、≦４５°、または、≦４０°
である付記２０記載の装置または方法。
【０１１７】
付記２４：Ａ２は≧１０°、例えば、≧１５°、≧２０°、≧２５°、または、≧３０
°である付記２０記載の装置または方法。
【０１１８】
付記２５：Ａ２≦６０°、例えば、≦５５°、≦５０°、≦４５°、または、≦４０°
である付記２０記載の装置または方法。
【０１１９】
付記２６：  第１のブッシング・フランジは厚さＴＦＦを有し、軸方向延在部は厚さＴ
ＡＥを有し、ＴＦＦ≧９０％ＴＡＥ、例えば、≧９５％ＴＡＥ、≧９６％ＴＡＥ、≧９７
％ＴＡＥ、≧９８％ＴＡＥ、≧９９％ＴＡＥ、または、≧１００％ＴＡＥである、付記１
、２、５、８、１２、または、１４のうちいずれか一付記記載の装置または方法。
【０１２０】
付記２７：ＴＦＦ≦１１０％ＴＡＥ、例えば、≦１０５％ＴＡＥ、≦１０４％ＴＡＥ、
≦１０３％ＴＡＥ、≦１０２％ＴＡＥ、または、≦１０１％ＴＡＥである、付記２６記載
の装置または方法。
【０１２１】
付記２８：中空本体は厚さＴＨＢを有し、軸方向延在部は厚さＴＡＥを有し、ＴＨＢ≧
９０％ＴＡＥ、例えば、≧９５％ＴＡＥ、≧９６％ＴＡＥ、≧９７％ＴＡＥ、≧９８％Ｔ
ＡＥ、≧９９％ＴＡＥ、または、≧１００％ＴＡＥである付記１、２、５、８、１２、ま
たは、１４のうちいずれか一付記記載の装置または方法。
【０１２２】
付記２９：ＴＨＢ≦１１０％ＴＡＥ、例えば、≦１０５％ＴＡＥ、≦１０４％ＴＡＥ、
≦１０３％ＴＡＥ、≦１０２％ＴＡＥ、または、≦１０１％ＴＡＥである、付記２８記載
の装置または方法。
【０１２３】
付記３０：中空本体は厚さＴＨＢを有し、第２のブッシング・フランジは厚さＴＳＦを
有し、ＴＨＢ≧９０％ＴＳＦ、例えば、≧９５％ＴＳＦ、≧９６％ＴＳＦ、≧９７％ＴＳ
Ｆ、≧９８％ＴＳＦ、≧９９％ＴＳＦ、または、≧１００％ＴＳＦであり、付記１、２、
５、８、１２、または、１４のうちいずれか一付記記載の装置または方法。
【０１２４】
付記３１：ＴＨＢ≦１１０％ＴＳＦ、例えば、≦１０５％ＴＳＦ、≦１０４％ＴＳＦ、
≦１０３％ＴＳＦ、≦１０２％ＴＳＦ、または、≦１０１％ＴＳＦである、付記３０記載
の装置または方法。
【０１２５】
付記３２：ブッシングは、内面、および、内面上の低摩擦層を更に有する、付記１、２
、５、８、１２、または、１４のうちいずれか一付記記載の装置または方法。
【０１２６】
付記３３：低摩擦層はポリマーよりなる付記３２記載の装置または方法。
【０１２７】
付記３４：ポリマーはフルオロポリマーを含む、付記３３記載の装置または方法。
【０１２８】
付記３５：低摩擦層はポリテトラフルオロエチレン（ＰＴＦＥ）よりなる、付記３３記
載の装置または方法。
【０１２９】
上記技術的内容は限定的でなく例示的であり、添付の特許請求の範囲は、本発明の範囲
に含まれる全ての変更、改良、および、他の実施形態を網羅することが意図されている。
そのため、法律によって許される最大限の範囲で、本発明の範囲は、以下の特許請求の範
囲およびその等価物の広義な許容解釈によって定められ、前述の詳細な説明によって制約
あるいは制限されるものではない。
【０１３０】
更に、前述の「詳細な説明」では、本開示を合理化するために様々な特徴が組み合わさ
れてもよく、または、単一の実施形態に記載されてもよい。本開示は、主張する実施形態
が、各請求項に明確に記載されている以上の特徴を必要とする意図を示すものと理解され
てはならない。正確には、以下の請求項に示すように、本発明の技術的内容は開示する実
施形態のいずれかに記載する特徴の一部にむけられている。そのため、以下の請求項は「
詳細な説明」に組み込まれ、各請求項は別途主張される技術的内容をそれ自体で定義して
いる。
【図１】
0006511482.tif 000002
【図２】
0006511482.tif 000003
【図３】
0006511482.tif 000004
【図４】
0006511482.tif 000005
【図５】
0006511482.tif 000006
【図６】
0006511482.tif 000007
【図７】
0006511482.tif 000008
【図８】
0006511482.tif 000009
【図９】
0006511482.tif 000010
【図１０】
0006511482.tif 000011
【図１１】
0006511482.tif 000012
【図１２】
0006511482.tif 000013
【図１３】
0006511482.tif 000014
【図１４】
0006511482.tif 000015
【図１５】
0006511482.tif 000016
【図１６】
0006511482.tif 000017
【図１７】
0006511482.tif 000018
【図１８】
0006511482.tif 000019